【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
一対の直立フレーム部材と、前記一対の直立フレーム部材に片持ち支持される背もたれとを備える歩行器装置であって、
前記背もたれは、使用者が前記一対の直立フレーム部材を掴むときに前記使用者の背もたれ越しの視界を許容するべく当該背もたれを貫通する少なくとも１つの第１開口を有し、
前記背もたれは、可撓性を有し、弓形であり、間隔を空けて離れた一対の細長部材を含み、
前記一対の細長部材は、共通端で連結されていることを特徴とする歩行器装置。
【請求項２】
前記背もたれは、水平方向に分割されていることを特徴とする請求項１に記載の歩行器装置。
【請求項３】
前記一対の細長部材は、間隔を空けて離れた上方帯片及び下方帯片であることを特徴とする請求項１に記載の歩行器装置。
【請求項４】
前記上方帯片は、断面Ｕ字形であることを特徴とする請求項３に記載の歩行器装置。
【請求項５】
前記一対の直立フレーム部材は、上方端を有し、前記上方帯片は、前記上方端から上向きに延びていることを特徴とする請求項３に記載の歩行器装置。
【請求項６】
前記上方帯片は、前記一対の直立フレーム部材から上向きに凹状の態様で延び、前記下方帯片は、前記一対の直立フレーム部材から下向きに凹状の態様で延びることを特徴とする請求項３に記載の歩行器装置。
【請求項７】
一対の側部を備え、
前記少なくとも一つの第１開口は、楕円形状を有し、先細りとされた各端部が前記一対の側部に隣接し、前記上方帯片と前記下方帯片との間に配置されることを特徴とする請求項３に記載の歩行器装置。
【請求項８】
前記一対の直立フレーム部材に動作可能に連結され、かつ、前記一対の直立フレーム部材の間に置かれる折り畳み機構を備え、
前記折り畳み機構は、当該歩行器装置を折り畳み軸に沿って横方向に折り畳み可能であり、
前記上方帯片と前記下方帯片とは、前記折り畳み軸の近傍で最も間隔を空けて離れることを特徴とする請求項３に記載の歩行器装置。
【請求項９】
前記フレーム部材から前記背もたれが延びる程度を調整可能にする調節機構を備えることを特徴とする請求項１に記載の歩行器装置。
【請求項１０】
一対のスライドレール組立体を備え、
前記背もたれは、前記スライドレール組立体を介して、前記フレーム部材に動作可能に連結し、前記フレーム部材から引出可能であることを特徴とする請求項１に記載の歩行器装置。
【請求項１１】
前記上方帯片及び前記下方帯片は、前記背もたれの鉛直軸および水平軸の周りに対称であることを特徴とする請求項３に記載の歩行器装置。
【請求項１２】
前記背もたれは、前記一対の直立フレーム部材から延びるにつれて側面視楕円形とされることを特徴とする請求項１に記載の歩行器装置。
【請求項１３】
前記背もたれは、前記一対の直立フレーム部材から延びるにつれて側面視Ｙ字形とされることを特徴とする請求項１に記載の歩行器装置。
【請求項１４】
前記上方帯片は、前記一対の直立フレーム部材の上方端と一列になり、かつ接線方向に延び、前記下方帯片は、前記上方端の下方に間隔を空けて離れることを特徴とする請求項３に記載の歩行器装置。
【請求項１５】
前記上方帯片および前記下方帯片を一体に連結する弓形の一対の連結部材を備え、
前記上方帯片および前記下方帯片は、前記連結部材に連結し、前記連結部材から接線方向に延びることを特徴とする請求項１４に記載の歩行器装置。
【請求項１６】
前記上方帯片および前記下方帯片を一体に連結するＳ字形の一対の連結部材を備えることを特徴とする請求項１４に記載の歩行器装置。
【請求項１７】
前記背もたれは、凹形の内部と、前記内部に配置されるクッション部材とを有することを特徴とする請求項１に記載の歩行器装置。
【請求項１８】
前記クッション部材は、当該クッション部材を貫通する第２開口を有することを特徴とする請求項１７に記載の歩行器装置。
【請求項１９】
前記上方帯片は、前記一対の直立フレーム部材の上方端の上方に空間を空けて離れ、前記下方帯片は、前記一対の直立フレーム部材の前記上方端の下方に空間を空けて離れることを特徴とする請求項３に記載の歩行器装置。
【請求項２０】
前記一対の直立フレーム部材の各々は、伸縮式であり、当該一対の直立フレーム部材の高さを選択して調節するための押しボタンを有することを特徴とする請求項１に記載の歩行器装置。
【請求項２１】
前記少なくとも１つの第１開口は略水平方向に延びることを特徴とする請求項１に記載の歩行器装置。
【請求項２２】
前記少なくとも１つの第１開口は略鉛直方向に延びることを特徴とする請求項１に記載の歩行器装置。
【請求項２３】
前記背もたれが、当該背もたれを略水平方向に貫通する少なくとも１つの前記第１開口と、当該背もたれを略鉛直方向に貫通する少なくとも１つの前記第１開口とを有することを特徴とする請求項１に記載の歩行器装置。
【請求項２４】
前記背もたれは、間隔を空けて離れた鉛直に延びる複数のリブを有し、隣り合う前記リブの間には鉛直に延びる複数の開口が配置されていることを特徴とする請求項１に記載の歩行器装置。
【請求項２５】
前記背もたれは、略水平な一対の上方架橋部材及び下方架橋部材を備え、
前記複数のリブは、前記上方架橋部材及び前記下方架橋部材に連結し、前記上方架橋部材と前記下方架橋部材との間で延びていることを特徴とする請求項２４に記載の歩行器装置。
【請求項２６】
前記背もたれは、凸形の外部と、物を保管するための物入とを有し、前記物入は、前記外部に隣接していることを特徴とする請求項１に記載の歩行器装置。
【請求項２７】
前記上方帯片は、当該上方帯片を部分的に貫通し、間隔を空けて離れた複数の溝を有することを特徴とする請求項３に記載の歩行器装置。
【請求項２８】
前記少なくとも１つの第１開口は、前記一対の直立フレーム部材の上方端と一列になる略水平に延びる開口の形態であり、
前記一対の細長部材は、上方帯片および下方帯片であり、
前記上方帯片は、前記上方端の上方に位置付けられ、前記下方帯片は、前記上方端の下方に位置付けられることを特徴とする請求項１に記載の歩行器装置。
【請求項２９】
前記上方帯片は、前記背もたれの上半分であり、前記第１開口および前記下方帯片は、前記背もたれの下半分であることを特徴とする請求項２８に記載の歩行器装置。
【請求項３０】
前記背もたれを前記一対の直立フレーム部材の上方端にそれぞれ連結する一対のＵ字形の弾性連結部材を備えることを特徴とする請求項１に記載の歩行器装置。
【請求項３１】
前記背もたれは、断面が略矩形であることを特徴とする請求項３０に記載の歩行器装置。
【請求項３２】
前記背もたれは、間隔を空けて離れた鉛直に延びる複数の第１条片と、前記第１条片と格子状の形態で交差し、間隔を空けて離れて水平に延びる複数の第２条片とを有することを特徴とする請求項１に記載の歩行器装置。
【請求項３３】
前記背もたれは、上部を有し、
前記少なくとも１つの第１開口は、前記上部から下向きに中央で延びる凹部であることを特徴とする請求項１に記載の歩行器装置。
【請求項３４】
前記凹部は、前記背もたれの上半分から前記背もたれの下半分に延びることを特徴とする請求項３３に記載の歩行器装置。
【請求項３５】
前記背もたれは、当該背もたれの下半分において一体に結合された一対の略矩形の部分を有することを特徴とする請求項１に記載の歩行器装置。
【請求項３６】
前記一対の直立フレーム部材から外向きに延びる一対の弓形の支持部材と、前記一対の直立フレーム部材と前記一対の支持部材とを一体に連結する一対の結合部材とを備え、
前記一対の結合部材の各々は、前記一対の直立フレーム部材の各々における一部の周りに、少なくとも一部分が延びる直立管状部と、前記一対の支持部材の各々における少なくとも一部の周りに、少なくとも一部分が延びる弓形管状部とを有することを特徴とする請求項１に記載の歩行器装置。
【請求項３７】
前記背もたれは、間隔を空けて離れた鉛直に延びる複数のリブと、一対の略水平な上方の架橋部材および下方の架橋部材とを有し、前記リブは、前記一対の架橋部材に連結し、前記一対の架橋部材の間で延びていることを特徴とする請求項１に記載の歩行器装置。